(57)【要約】【課題】光の照射位置の自由度を向上させることができるＬＥＤ道路灯を提供する。【解決手段】ＬＥＤ道路灯１０は、半導体発光素子を有する発光部１３と、発光部１３が取り付けられる取付部１４と、取付部１４を保持する保持部１５とを備え、保持部１５は、発光部１３が第一方向（Ｚ軸方向）に移動可能、かつ、第一方向から傾く向きに回動可能に、取付部１４を保持する。【選択図】図３
2019067524.tif 000002
【特許請求の範囲】
【請求項１】
半導体発光素子を有する発光部と、
前記発光部が取り付けられる取付部と、
前記取付部を保持する保持部とを備え、
前記保持部は、前記発光部が第一方向に移動可能、かつ、前記第一方向から傾く向きに回動可能に、前記取付部を保持する
ＬＥＤ道路灯。
【請求項２】
前記保持部は、前記発光部が、前記第一方向と交差する平面内の異なる２方向に向けて回動可能に、前記取付部を保持する
請求項１に記載のＬＥＤ道路灯。
【請求項３】
前記取付部及び前記保持部の一方は、前記第一方向に延設された固定部を前記第一方向と交差する第二方向に複数有し、他方は、複数の前記固定部のそれぞれに固定可能な少なくとも２つの被固定部を有する
請求項１または２に記載のＬＥＤ道路灯。
【請求項４】
前記取付部及び前記保持部の一方は、前記第一方向かつ前記第一方向と交差する第二方向に並ぶ複数の固定部を有し、他方は、前記複数の固定部のそれぞれに固定可能な少なくとも２つの被固定部を有する
請求項１または２に記載のＬＥＤ道路灯。
【請求項５】
前記取付部及び前記保持部の前記一方は、前記複数の固定部からなる固定部群を、前記第一方向及び前記第二方向と交差する第三方向に複数有し、前記他方は、複数の前記固定部群に対応して、前記少なくとも２つの被固定部からなる被固定部群を複数有する
請求項３または４に記載のＬＥＤ道路灯。
【発明の詳細な説明】
【技術分野】
【０００１】
本発明は、ＬＥＤ道路灯に関する。
【背景技術】
【０００２】
光源にＬＥＤ（Light Emitting Diode）を用いて道路を照らすＬＥＤ道路灯が知られている。例えば、特許文献１には、街路などを照明するＬＥＤ照明器具であって、ＬＥＤを有する発光パッケージが取り付けられた取付板と、取付板を支持する固定板が取り付けられた放熱板との間が、可撓性の熱伝導部材を介して連結されたＬＥＤ照明器具が開示されている。
【先行技術文献】
【特許文献】
【０００３】
【特許文献１】特開２０１０−９７６５号公報
【発明の概要】
【発明が解決しようとする課題】
【０００４】
特許文献１に記載の発明は、発光パッケージが取り付けられた取付板と放熱板との間が可撓性の熱伝導部材で連結された構成であるため、発光パッケージを一方向に回転させて光の照射方向を変更できる。しかしながら、ＬＥＤ道路灯においては、設置できる場所が限られていたり、様々な形状の道路に設置され得ることなどから、一方向に照射方向を変更することしかできない場合には、所望の場所を照射できないおそれがある。このように、上記従来のＬＥＤ道路灯では、光の照射位置の自由度が低いという問題がある。
【０００５】
本発明は、上記問題を解決するためになされたものであり、光の照射位置の自由度を向上させることができるＬＥＤ道路灯を提供することを目的とする。
【課題を解決するための手段】
【０００６】
本発明の一態様に係るＬＥＤ道路灯は、半導体発光素子を有する発光部と、前記発光部が取り付けられる取付部と、前記取付部を保持する保持部とを備え、前記保持部は、前記発光部が第一方向に移動可能、かつ、前記第一方向から傾く向きに回動可能に、前記取付部を保持する。
【発明の効果】
【０００７】
本発明に係るＬＥＤ道路灯によれば、光の照射位置の自由度を向上させることができる。
【図面の簡単な説明】
【０００８】
【図１】実施の形態に係るＬＥＤ道路灯を備える照明柱の外観を示す概念図である。
【図２】図１のＬＥＤ道路灯の構成を示す概念図である。
【図３】図２のＬＥＤ道路灯の内部構成の各構成要素を示す概念図である。
【図４】図３の発光部からの光の照射方向が上方からＸ軸方向プラス側に傾いた方向になるように、保持部が取付部を保持する構成を示す概念図である。
【図５】図３の発光部からの光の照射方向が上方からＹ軸方向マイナス側に傾いた方向になるように、保持部が取付部を保持する構成を示す概念図である。
【図６】変形例に係るＬＥＤ道路灯の内部構成の各構成要素を示す概念図である。
【発明を実施するための形態】
【０００９】
以下、図面を参照しつつ、本発明の実施の形態及びその変形例に係るＬＥＤ道路灯について説明する。なお、以下で説明する実施の形態及びその変形例は、いずれも包括的又は具体的な例を示すものである。以下の実施の形態及びその変形例で示される数値、形状、材料、構成要素、構成要素の配置位置及び接続形態などは、一例であり、本発明を限定する主旨ではない。また、以下の実施の形態及びその変形例における構成要素のうち、最上位概念を示す独立請求項に記載されていない構成要素については、任意の構成要素として説明される。
【００１０】
また、添付の図面における各図は、模式的な図であり、必ずしも厳密に図示されたものでない。さらに、各図において、同一又は同様な構成要素については同じ符号を付している。また、以下の実施の形態及びその変形例の説明において、略平行、略直交のような「略」を伴った表現が、用いられる場合がある。例えば、略平行とは、完全に平行であることを意味するだけでなく、実質的に平行である、すなわち、例えば数％程度の差異を含むことも意味する。他の「略」を伴った表現についても同様である。
【００１１】
（実施の形態）
まず、本実施の形態に係るＬＥＤ道路灯１０を備える照明柱１の構成について説明する。図１は、本実施の形態に係るＬＥＤ道路灯１０を備える照明柱１の外観を示す概念図である。
【００１２】
なお、以下の説明及び図面中において、ＬＥＤ道路灯１０の前後方向をＸ軸方向と定義する。また、ＬＥＤ道路灯１０の左右方向をＹ軸方向と定義する。また、ＬＥＤ道路灯１０の上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００１３】
図１に示すように、照明柱１は、その最上部に設けられ且つ照明用の光を発するＬＥＤ道路灯１０と、地面等から立設する支柱２と、ＬＥＤ道路灯１０及び支柱２を連結するアーム３とを備えている。つまり、ＬＥＤ道路灯１０は、光源にＬＥＤ（Light Emitting Diode）を用いて道路を照らすＬＥＤ道路灯であり、アーム３及び支柱２によって支持されている。また、商用電源等の電力系統に電気的に接続された電線が、支柱２内及びアーム３内に通されて、ＬＥＤ道路灯１０に電気的に接続されることで、ＬＥＤ道路灯１０に電力が供給される。なお、ＬＥＤ道路灯１０は、地面に据え付けられるのではなく、アーム３を介して構造物に取り付けられるように構成されていてもよい。
【００１４】
次に、ＬＥＤ道路灯１０の構成について、詳細に説明する。図２は、図１のＬＥＤ道路灯１０の構成を示す概念図である。具体的には、図２の（ａ）は、図１のＬＥＤ道路灯１０の筐体１１及びグローブ１２を透過して、ＬＥＤ道路灯１０を側方から見た場合の内部構成を破線で示す側面図である。また、図２の（ｂ）は、図１のＬＥＤ道路灯１０の筐体１１及びグローブ１２を透過して、ＬＥＤ道路灯１０をグローブ１２側から見た場合の内部構成を破線で示す底面図である。
【００１５】
なお、説明の便宜のため、図２の（ａ）では、図１に示したＬＥＤ道路灯１０を上下逆にして図示している。つまり、図２の（ａ）では、Ｚ軸方向マイナス側（矢印と反対側）を上方として図示しており、以下では、Ｚ軸方向マイナス側を上方として説明する。図３以降の図及びその説明においても、同様である。
【００１６】
図２に示すように、ＬＥＤ道路灯１０は、筐体１１と、照明用の光を外部に放射するためのグローブ１２とを備えている。筐体１１及びグローブ１２は、内部に種々の構成要素を収容する閉じた空間を形成している。具体的には、筐体１１は、アーム３が接続されるベースハウジング１１ａと、グローブ１２が接続されるカバー１１ｂとを有している。筐体１１（ベースハウジング１１ａ及びカバー１１ｂ）の材質は、特に限定されず、例えば、アルミニウム、アルミニウム合金、アルミナ、またはマグネシウム合金等の高い熱伝導性を有する金属材料から形成されている。グローブ１２は、透光性を有する部材であり、半楕円体状に湾曲した外形を有している。また、グローブ１２は、例えば、ガラスまたは樹脂等によって形成されている。なお、グローブ１２の外形は特に限定されず、半球体、半円柱体、半楕円柱体等でもよく、グローブ１２の材質も特に限定されない。
【００１７】
また、ＬＥＤ道路灯１０は、筐体１１及びグローブ１２の内部に、電力によって光を発する発光部１３と、発光部１３が取り付けられる取付部１４と、取付部１４を保持する保持部１５とを備えている。これらの具体的な構成について、図３も参照して説明する。図３は、図２のＬＥＤ道路灯１０の内部構成の各構成要素を示す概念図である。
【００１８】
図２及び図３に示すように、発光部１３は、取付部１４の上面（Ｚ軸方向マイナス側の面）の中央位置に取り付けられ、且つグローブ１２の内側に配置された部位であり、複数の半導体発光素子（本実施の形態ではＬＥＤ）を有している。この複数の半導体発光素子は、矩形状の領域内に並べられて配置され、また、取付部１４側に熱を放出できるように、取付部１４に直接、または、熱伝導部材を介して取り付けられている。また、発光部１３は、当該複数の半導体発光素子の全体を覆うように、取付部１４の上方に配置されたレンズ体も有している。具体的には、レンズ体は、透光性を有する樹脂またはガラス等の材料から形成されており、複数の半導体発光素子が発する光を、放射状に拡散するように配光する。なお、発光部１３の形状や、発光部１３が有する半導体発光素子の個数は特に限定されない。また、発光部１３は、レンズ体を有していない構成でもよい。
【００１９】
取付部１４は、発光部１３が取り付けられる部材であり、取付部基板１４ａと一対の取付部支持板１４ｂとを有している。取付部基板１４ａは、グローブ１２の内側に収まるような形状及び寸法を有する平板状の部位であり、上面に発光部１３が載置されている。一対の取付部支持板１４ｂは、取付部基板１４ａの両側方（Ｙ軸方向両側）から下方（Ｚ軸方向プラス側）に延びる矩形状かつ平板状の部材であり、Ｙ軸方向に並んで略平行に配置されて、取付部基板１４ａを下方から支持する。
【００２０】
本実施の形態では、取付部１４を構成する取付部基板１４ａ及び一対の取付部支持板１４ｂは、連続する１つの部材から一体的に形成された一体成形品であり、同じ材質で形成されている。取付部１４は、例えば、アルミニウム、アルミニウム合金、アルミナ、マグネシウム合金等の高い熱伝導性を有する金属材料から形成されるのが好ましい。なお、取付部基板１４ａ及び一対の取付部支持板１４ｂのうちの一部が異なる部材であってもよく、この場合、当該一部が異なる材質で形成されていてもよい。
【００２１】
また、取付部基板１４ａは、発光部１３が照射した光を反射する反射板の機能も有しており、取付部基板１４ａの表面は、光を反射するように構成されるのが好ましい。このため、取付部基板１４ａが、アルミニウムまたはアルミニウム合金等の光を良く反射する材料から形成される場合には、表面処理がなされていなくてもよく、より反射率を向上させるために研磨等の表面処理がなされていてもよい。取付部基板１４ａが、光を反射しにくい材料から形成される場合には、表面に反射膜を形成したり、反射塗料を塗布したりする等の表面処理がなされていてもよい。
【００２２】
保持部１５は、ベースハウジング１１ａに固定され、且つ取付部支持板１４ｂに固定されて、取付部１４を保持する矩形状かつ平板状の部材である。つまり、保持部１５は、ベースハウジング１１ａに固定される保持部底板１５ａと、一対の取付部支持板１４ｂに固定される一対の保持部支持板１５ｂとを有している。保持部底板１５ａは、中央部分に凹部が形成され、当該凹部とベースハウジング１１ａとの間に、発光部１３へ電力を供給する電源部１６（図３参照）が配置されている。一対の保持部支持板１５ｂは、保持部底板１５ａの両側方（Ｙ軸方向両側）から上方（Ｚ軸方向マイナス側）に延びる矩形状かつ平板状の部材であり、一対の取付部支持板１４ｂに対応して、Ｙ軸方向に並んで略平行に配置されて、一対の取付部支持板１４ｂを下方から支持する。
【００２３】
本実施の形態では、保持部１５を構成する保持部底板１５ａ及び一対の保持部支持板１５ｂは、連続する１つの部材から一体的に形成された一体成形品であり、同じ材質で形成されている。保持部１５は、取付部１４と同様の材質で形成されていてもよいし、電源部１６への伝熱を抑制するために、例えば、ステンレス鋼、ジルコニア、樹脂等の取付部１４よりも熱伝導性が低い材料から形成されていてもよい。なお、保持部１５は、保持部底板１５ａ及び一対の保持部支持板１５ｂうちの一部が異なる部材であってもよく、この場合、当該一部が異なる材質で形成されていてもよい。
【００２４】
電源部１６は、ベースハウジング１１ａ上に載置された電源であり、ＡＣ／ＤＣコンバータのような電力変換装置等を有している。つまり、電源部１６は、電力系統から供給される交流電力を直流電力に変換するとともに、直流電力を制御して発光部１３へ供給する。具体的には、電源部１６は、端子１７（図２の（ｂ）参照）に電気的に接続されており、端子１７には、電力系統から筒状のアーム３の中を通って筐体１１内に延びる電線が接続されている。これにより、電力系統の交流電力が電源部１６へ供給される。
【００２５】
次に、図４及び図５も用いて、保持部１５が、発光部１３からの光の照射位置を変更可能に取付部１４を保持する構成について、説明する。図４は、図３の発光部１３からの光の照射方向が上方からＸ軸方向プラス側に傾いた方向になるように、保持部１５が取付部１４を保持する構成を示す概念図である。図５は、図３の発光部１３からの光の照射方向が上方からＹ軸方向マイナス側に傾いた方向になるように、保持部１５が取付部１４を保持する構成を示す概念図である。
【００２６】
取付部１４及び保持部１５の一方は、第一方向に延設された固定部を第一方向と交差する第二方向に複数有し、他方は、前記複数の固定部のそれぞれに固定可能な少なくとも２つの被固定部を有している。また、取付部１４及び保持部１５の当該一方は、当該複数の固定部からなる固定部群を、第一方向及び第二方向と交差する第三方向に複数有し、当該他方は、当該複数の固定部群に対応して、当該少なくとも２つの被固定部からなる被固定部群を複数有している。
【００２７】
ここで、本実施の形態では、第一方向はＺ軸方向に相当し、第二方向はＸ軸方向に相当し、第三方向はＹ軸方向に相当する。つまり、ＬＥＤ道路灯１０の上下方向、保持部１５と取付部１４と発光部１３との並び方向、保持部１５に形成された固定部１５ｃの延設方向、または、取付部１４に形成された被固定部１４ｃの延設方向を、第一方向（Ｚ軸方向）と定義する。また、ＬＥＤ道路灯１０の前後方向、複数の固定部１５ｃの並び方向、または、複数の被固定部１４ｃの並び方向を、第二方向（Ｘ軸方向）と定義する。また、ＬＥＤ道路灯１０の左右方向、保持部１５の一対の保持部支持板１５ｂの並び方向、一対の固定部群の並び方向、取付部１４の一対の取付部支持板１４ｂの並び方向、または、一対の被固定部群の並び方向を、第三方向（Ｙ軸方向）と定義する。
【００２８】
具体的には、図３に示すように、保持部１５は、第一方向（Ｚ軸方向）に延設された固定部１５ｃを、第一方向と交差する第二方向（Ｘ軸方向）に複数有しており、この複数の固定部１５ｃからなる固定部群を、第一方向及び第二方向と交差する第三方向（Ｙ軸方向）に複数有している。さらに具体的には、固定部１５ｃは、保持部支持板１５ｂに形成されたＺ軸方向に延びる凹部であり、１つの保持部支持板１５ｂに対して、Ｘ軸方向に複数の固定部１５ｃが略平行に配列されて、１つの固定部群を構成している。そして、保持部１５は、Ｙ軸方向に並ぶ２つの保持部支持板１５ｂに対応して、Ｙ軸方向に並ぶ２つの固定部群を有している。
【００２９】
また、取付部１４は、複数の固定部１５ｃのそれぞれに固定可能な少なくとも２つの被固定部１４ｃを有しており、上記複数の固定部群に対応して、当該少なくとも２つの被固定部１４ｃからなる被固定部群を複数有している。具体的には、被固定部１４ｃは、取付部支持板１４ｂに形成された、複数の固定部１５ｃのそれぞれに固定可能なＺ軸方向に延びる貫通孔であり、１つの取付部支持板１４ｂに対して、Ｘ軸方向に２つの被固定部１４ｃが略平行に配列されて、１つの被固定部群を構成している。そして、取付部１４は、Ｙ軸方向に並ぶ２つの取付部支持板１４ｂに対応して、Ｙ軸方向に並ぶ２つの被固定部群を有している。なお、被固定部１４ｃは、ネジ等の締結部材１８によって、固定部１５ｃに固定可能である。
【００３０】
ここで、保持部１５は、発光部１３が第一方向に移動可能に、取付部１４を保持する。つまり、固定部１５ｃから被固定部１４ｃを取り外し、保持部１５に対して取付部１４を第一方向（Ｚ軸方向）に移動させて、固定部１５ｃに被固定部１４ｃを再度固定することで、保持部１５に対して発光部１３を第一方向に移動させることができる。すなわち、固定部１５ｃはＺ軸方向に延びる凹部であり、被固定部１４ｃはＺ軸方向に延びる貫通孔であるため、保持部１５に対して取付部１４をＺ軸方向に移動させた状態で固定することができる。
【００３１】
また、保持部１５は、発光部１３が第一方向から傾く向きに回動可能に、取付部１４を保持する。具体的には、保持部１５は、発光部１３が、第一方向と交差する平面内の異なる２方向に向けて回動可能に、取付部１４を保持する。つまり、図４に示すように、固定部１５ｃから被固定部１４ｃを取り外し、保持部１５に対して取付部１４を第二方向（Ｘ軸方向）に傾けて、固定部１５ｃに被固定部１４ｃを再度固定することで、保持部１５に対して発光部１３を第二方向に回動させることができる。また、図５に示すように、固定部１５ｃから被固定部１４ｃを取り外し、保持部１５に対して取付部１４を第三方向（Ｙ軸方向）に傾けて、固定部１５ｃに被固定部１４ｃを再度固定することで、保持部１５に対して発光部１３を第三方向に回動させることができる。
【００３２】
つまり、固定部１５ｃ及び被固定部１４ｃの双方ともＺ軸方向に延びる長尺な形状を有しており、また、Ｘ軸方向及びＹ軸方向にもそれが存在するため、固定部１５ｃに対する被固定部１４ｃの位置及び締結部材１８による固定位置を調整することで、保持部１５に対して取付部１４をＸ軸方向及びＹ軸方向に傾けた状態で固定することができる。なお、図４のように保持部１５に対して取付部１４をＸ軸方向に傾ける場合には、固定部群が有する複数の固定部１５ｃの中から、被固定部１４ｃを固定するのに適した位置の固定部１５ｃを選定する。そして、選定した固定部１５ｃと被固定部１４ｃとが重なった位置に、締結部材１８を配置して締結固定を行う。
【００３３】
また、図５のように保持部１５に対して取付部１４をＹ軸方向に傾ける場合には、一対の取付部支持板１４ｂがＹ軸方向に傾くため、一対の保持部支持板１５ｂに固定するために、保持部１５及び取付部１４の一部を変形させる必要がある。具体的には、この場合には、取付部１４の取付部基板１４ａと取付部支持板１４ｂとの接続部分１４ｄ、及び、保持部１５の保持部底板１５ａと保持部支持板１５ｂとの接続部分１５ｄの少なくとも１つを変形させる必要がある。このため、取付部１４の接続部分１４ｄと保持部１５の接続部分１５ｄとは、変形可能に形成されているのが好ましい。なお、当該変形可能に形成するための手法は特に限定されず、例えば、接続部分１４ｄ及び接続部分１５ｄの少なくとも１つを、アルミニウム等の柔軟性のある材質で形成したり、ヒンジ構造にしたりすることができる。
【００３４】
以上のように、本発明の実施の形態に係るＬＥＤ道路灯１０によれば、保持部１５は、発光部１３が第一方向に移動可能、かつ、第一方向から傾く向きに回動可能に、取付部１４を保持する。このため、発光部１３を第一方向に移動させたり第一方向から傾く向きに回動させたりすることができるため、発光部１３からの光を様々な位置に照射することができ、発光部１３からの光の照射位置の自由度を向上させることができる。
【００３５】
また、保持部１５は、発光部１３が、第一方向と交差する平面内の異なる２方向に向けて回動可能に、取付部１４を保持する。これにより、発光部１３を第一方向に移動させたり第二方向に回動させたり第三方向に回動させたりすることができるため、発光部１３からの光の照射位置の自由度をさらに向上させることができる。
【００３６】
そして、上記を実現する具体的な構成として、保持部１５は、第一方向に延設された固定部１５ｃを第二方向に複数有し、取付部１４は、複数の固定部１５ｃのそれぞれに固定可能な少なくとも２つの被固定部１４ｃを有している。これにより、保持部１５に対して取付部１４を第一方向に移動させたり第二方向に回動させたりすることができるため、発光部１３を当該方向に移動及び回動させることができる。
【００３７】
また、保持部１５は、複数の固定部１５ｃからなる固定部群を、第三方向に複数有し、取付部１４は、複数の固定部群に対応して、少なくとも２つの被固定部１４ｃからなる被固定部群を複数有している。これにより、保持部１５に対して取付部１４を第三方向にも回動させたりすることができるため、発光部１３を第三方向にも回動させることができる。
【００３８】
更に、電源部１６は、保持部底板１５ａに設けられた中央部分の凹部とベースハウジング１１ａとの間に、配置されているため、ＬＥＤ道路灯１０内部の部品配置の省スペース化を図ることができる。
【００３９】
（変形例）
次に、上記実施の形態の変形例について、説明する。上記実施の形態では、保持部１５に形成された固定部１５ｃ、及び、取付部１４に形成された被固定部１４ｃは、双方ともＺ軸方向に延びる長尺な形状を有していることとした。しかし、本変形例では、複数の固定部及び被固定部がＺ軸方向に並んで配置される。図６は、本変形例に係るＬＥＤ道路灯の内部構成の各構成要素を示す概念図である。
【００４０】
図６に示すように、取付部１４及び保持部１５の一方は、第一方向かつ第一方向と交差する第二方向に並ぶ複数の固定部を有し、他方は、複数の固定部のそれぞれに固定可能な少なくとも２つの被固定部を有している。また、取付部１４及び保持部１５の当該一方は、当該複数の固定部からなる固定部群を、第一方向及び第二方向と交差する第三方向に複数有し、当該他方は、当該複数の固定部群に対応して、当該少なくとも２つの被固定部からなる被固定部群を複数有している。
【００４１】
つまり、本変形例では、保持部１５は、第一方向（Ｚ軸方向）かつ第一方向と交差する第二方向（Ｘ軸方向）に並ぶ複数の固定部１５ｅを有しており、この複数の固定部１５ｅからなる固定部群を、第一方向及び第二方向と交差する第三方向（Ｙ軸方向）に複数有している。具体的には、固定部１５ｅは、保持部支持板１５ｂに形成された円形状の凹部であり、１つの保持部支持板１５ｂに対して、Ｚ軸方向及びＸ軸方向に複数の固定部１５ｅが並んで配列されて、１つの固定部群を構成している。そして、保持部１５は、Ｙ軸方向に並ぶ２つの保持部支持板１５ｂに対応して、Ｙ軸方向に並ぶ２つの固定部群を有している。
【００４２】
また、取付部１４は、複数の固定部１５ｅのそれぞれに固定可能な複数の被固定部１４ｅを有しており、上記複数の固定部群に対応して、当該複数の被固定部１４ｅからなる被固定部群を複数有している。具体的には、被固定部１４ｅは、取付部支持板１４ｂに形成された円形状の貫通孔であり、１つの取付部支持板１４ｂに対して、Ｚ軸方向に並んだ複数の被固定部１４ｅがＸ軸方向に２列並んで配列されて、１つの被固定部群を構成している。そして、取付部１４は、Ｙ軸方向に並ぶ２つの取付部支持板１４ｂに対応して、Ｙ軸方向に並ぶ２つの被固定部群を有している。なお、被固定部１４ｅは、ネジ等の締結部材１８によって、固定部１５ｅに固定可能である。
【００４３】
この構成により、上記実施の形態と同様に、保持部１５は、発光部１３が第一方向に移動可能、かつ、第一方向から傾く向きに回動可能に、取付部１４を保持する。つまり、保持部１５は、発光部１３が、第一方向と交差する平面内の異なる２方向（第二方向及び第三方向）に向けて回動可能に、取付部１４を保持する。これにより、発光部１３を第一方向に移動させたり第二方向及び第三方向に回動させたりすることができるため、発光部１３からの光を様々な位置に照射することができ、発光部１３からの光の照射位置の自由度を向上させることができる。
【００４４】
なお、上記実施の形態及びその変形例において、第一方向はＺ軸方向でなくてもよく、第二方向はＸ軸方向でなくてもよく、第三方向はＹ軸方向でなくてもよい。つまり、第一方向、第二方向及び第三方向は、互いに交差する方向であれば、どのような方向であってもよく、当該方向に応じて、ＬＥＤ道路灯を構成可能である。
【００４５】
また、上記実施の形態及びその変形例では、保持部１５の固定部及び取付部１４の被固定部は、双方ともに第一方向に延設された形状（変形例では、複数個が第一方向に並んだ形状）を有していることとしたが、いずれか一方が延設されていない形状（変形例では、例えば１個のみ配置）であってもよい。これによっても、固定部及び被固定部の他方が第一方向に延設された形状であるため、固定部に対する被固定部の位置を調整することで、発光部１３の第一方向への移動、かつ、第二方向及び第三方向への回動は可能である。
【００４６】
また、上記実施の形態及びその変形例では、保持部１５及び取付部１４は、第二方向において、複数の固定部及び複数の被固定部を有していることとしたが、固定部及び被固定部は、第二方向において複数設けられていないことにしてもよい。これによっても、発光部１３の第一方向への移動、及び、図５に示すような第三方向への回動は可能である。また、固定部に対する被固定部の位置及び締結部材１８の位置を調整することで、図４に示すような発光部１３の第二方向への回動も可能となる場合もある。
【００４７】
また、上記実施の形態及びその変形例では、保持部１５及び取付部１４は、第三方向において、２つの固定部群及び２つの被固定部群を有していることとしたが、固定部群及び被固定部群は、第三方向において１つまたは３つ以上設けられていることにしてもよい。つまり、保持部１５及び取付部１４は、１つまたは３つ以上の保持部支持板１５ｂ、及び、１つまたは３つ以上の取付部支持板１４ｂを有していてもよい。なお、固定部群及び被固定部群が、第三方向において１つしか設けられていない場合でも、発光部１３の第一方向への移動、及び、図４に示すような第二方向への回動は可能である。
【００４８】
このように、上記実施の形態及びその変形例では、保持部１５は、発光部１３が、第一方向と交差する平面内の異なる２方向に向けて回動可能に、取付部１４を保持することとしたが、当該平面内の１方向のみに回動可能に、取付部１４を保持することにしてもよい。つまり、保持部１５は、例えば、Ｘ軸方向のみ、または、Ｙ軸方向のみに回動可能に、取付部１４を保持することにしてもよい。
【００４９】
また、上記実施の形態及びその変形例において、保持部１５の固定部及び取付部１４の被固定部の大きさ及び形状は、特に限定されない。例えば、固定部は、凹部でなくて貫通孔等でもよく、被固定部は貫通孔でなくて凹部等でもよい。
【００５０】
また、上記実施の形態及びその変形例において、保持部１５の構成と取付部１４の構成とが逆になっていてもよい。つまり、保持部１５が有しているような構成の固定部を取付部１４が有し、取付部１４が有しているような構成の被固定部を保持部１５が有していてもよい。
【００５１】
また、上記実施の形態及びその変形例では、保持部１５の固定部及び取付部１４の被固定部は、締結部材１８によって固定されることとしたが、これらの固定方法は、特に限定されない。例えば、ネジによる固定ではなく、ボルト及びナットによる固定等でもよい。または、固定部及び被固定部の一方が突起部であり、当該突起部が他方に挿入されて固定されるなど、従来知られている種々の固定方法を適用可能である。
【００５２】
また、上記実施の形態及びその変形例では、保持部１５の保持部支持板１５ｂ、取付部１４の取付部基板１４ａ及び取付部支持板１４ｂは、矩形状かつ平板状の形状を有していることとしたが、例えば外縁に曲線が含まれる形状や湾曲した形状等、どのような形状であってもよい。また、保持部１５の保持部底板１５ａの形状も限定されず、また、保持部１５は保持部底板１５ａを有していなくてもよい。
【００５３】
なお、上記実施の形態及び上記変形例を任意に組み合わせて構築される形態も、本発明の範囲内に含まれる。
【００５４】
また、本発明は、このようなＬＥＤ道路灯として実現することができるだけでなく、当該ＬＥＤ道路灯が備える取付部１４及び保持部１５としても実現することができる。
【符号の説明】
【００５５】
１０  ＬＥＤ道路灯
１３  発光部
１４  取付部
１４ａ  取付部基板
１４ｂ  取付部支持板
１４ｃ、１４ｅ  被固定部
１４ｄ、１５ｄ  接続部分
１５  保持部
１５ｂ  保持部支持板
１５ｃ、１５ｅ  固定部
１８  締結部材
【図１】
2019067524.tif 000003
【図２】
2019067524.tif 000004
【図３】
2019067524.tif 000005
【図４】
2019067524.tif 000006
【図５】
2019067524.tif 000007
【図６】
2019067524.tif 000008